(57)【要約】      （修正有）【課題】やぐらと天板との間に配置可能な収納ケースを提供する。【解決手段】天板とやぐらとの間に配置する略直方体形状の収納ケース１であって、略長方形状の天面板２および底面板３と、天面板および底面板に接続する複数の側面板とを備える。天面板および底面板と、複数の側面板とによって、天面板および底面板の端縁に少なくとも１つの開口部を有する、少なくとも１つの収納部２０（２１，２２）が形成される。【選択図】図２
0003185272.tif 000002
【実用新案登録請求の範囲】
【請求項１】
天板とやぐらとの間に配置する略直方体形状の収納ケースであって、
略長方形状の天面板および底面板と、
前記天面板および底面板に接続する複数の側面板とを備え、
前記天面板および底面板と、前記複数の側面板とによって、前記天面板および底面板の端縁に少なくとも１つの開口部を有する、少なくとも１つの収納部が形成される、収納ケース。
【請求項２】
前記収納部が２つ形成される、請求項１に記載の収納ケース。
【請求項３】
前記収納部として、
前記天面板および底面板の長辺側の端縁の一方に開口部を有する第１の収納部と、
前記天面板および底面板の長辺側の両端縁に開口部を有する第２の収納部とが形成される、請求項２に記載の収納ケース。
【請求項４】
前記収納部が３つ形成される、請求項１に記載の収納ケース。
【請求項５】
前記収納部として、
前記天面板および底面板の長辺側の端縁の一方に開口部を有する第１の収納部と、
前記天面板および底面板の短辺側の端縁の一方に開口部を有する第２の収納部と、
前記天面板および底面板の長辺側の両端縁に開口部を有する第３の収納部とが形成される、請求項４に記載の収納ケース。
【請求項６】
前記収納部として、
前記天面板および底面板の長辺側の端縁の一方にそれぞれ開口部を有する第１の収納部および第２の収納部と、
前記天面板および底面板の長辺側の両端縁に開口部を有する第３の収納部とが形成される、請求項４に記載の収納ケース。
【請求項７】
前記収納部として、
前記天面板および底面板の短辺側の端縁の一方に開口部を有する第１の収納部と、
前記天面板および底面板の短辺側の端縁の他方に開口部を有する第２の収納部と、
前記天面板および底面板の長辺側の両端縁に開口部を有する第３の収納部とが形成される、請求項４に記載の収納ケース。
【請求項８】
前記第１の収納部と、前記第２の収納部とは、前記天面板および底面板の短辺側の各端縁に形成され、
前記第３の収納部は、前記第１の収納部と、前記第２の収納部との間の領域において形成される、請求項５〜７に記載の収納ケース。
【請求項９】
前記少なくとも１つの収納部の内部に収容するトレイをさらに含む、請求項１に記載の収納ケース。
【請求項１０】
前記天面板または底面板の外面の少なくとも１箇所に設けられる滑り止め部材をさらに含む、請求項１〜９のいずれかに記載の収納ケース。
【請求項１１】
前記滑り止め部材は、前記天面板および底面板の両方の外面の少なくとも１箇所に設けられる、請求項１０に記載の収納ケース。
【請求項１２】
前記滑り止め部材は、ポリウレタン、天然ゴム、スチレンブタジエンゴム、クロロプレンゴム、シリコーンゴムからなる群から選ばれる少なくとも１つの材料を含む、請求項１０または１１に記載の収納ケース。
【考案の詳細な説明】
【技術分野】
【０００１】
本考案は、収納ケースに関し、より特定的には、天板とやぐらとの間に配置することができる収納ケースに関する。
【背景技術】
【０００２】
従来、やぐらの上に天板を乗せた座卓やコタツが広く使用されている。
【考案の概要】
【考案が解決しようとする課題】
【０００３】
しかしながら、従来のやぐらの上に天板を乗せて用いる座卓やコタツには物を収納するスペースが無いため、例えばティッシュ箱や雑誌、リモコン、拡大鏡、爪切り、耳かきなどの日用品がよく天板の上に置かれている。このように、天板の上に物が置かれていると、天板を拭き掃除するときに邪魔になったり、天板の上が散らかっているように見えたりするという問題があった。
【０００４】
上記の問題を鑑みて、本考案は、やぐらと天板との間に配置可能な収納ケースを提供することを目的とする。
【課題を解決するための手段】
【０００５】
本考案の一局面は、天板とやぐらとの間に配置する略直方体形状の収納ケースであって、略長方形状の天面板および底面板と、天面板および底面板に接続する複数の側面板とを備え、天面板および底面板と、複数の側面板とによって、天面板および底面板の端縁に少なくとも１つの開口部を有する、少なくとも１つの収納部が形成される。
【考案の効果】
【０００６】
本考案によれば、やぐらと天板との間に配置可能な収納ケースを提供することができる。
【図面の簡単な説明】
【０００７】
【図１】第１の実施形態に係る収納ケースの分解斜視図
【図２】第１の実施形態に係る収納ケースの斜視図
【図３】第１の実施形態に係る収納ケースに収容可能な引き出しトレイの斜視図
【図４】第１の実施形態に係る収納ケースに引き出しトレイを収納した一例を示す斜視図
【図５】引き出しトレイの他の一例を示す斜視図
【図６】第１の実施形態に係る収納ケースに引き出しトレイを収納した他の一例を示す図
【図７】第１の実施形態に係る滑り止め部材を設けた収納ケースの斜視図
【図８】第１の実施形態に係る滑り止め部材を設けた収納ケースの他の一例を示す斜視図
【図９】第１の実施形態に係る滑り止め部材を設けた収納ケースの他の一例を示す斜視図
【図１０】第１の実施形態に係る収納ケースの使用状態の一例を示す斜視図
【図１１】第１の実施形態に係る収納ケースの使用状態の一例を示す上面図
【図１２】第１の実施形態に係る収納ケースの使用状態の他の一例を示す図
【図１３】第１の実施形態に係る収納ケースの他の一例を示す分解斜視図
【図１４】第１の実施形態に係る収納ケースの他の一例を示す分解斜視図
【図１５】第２の実施形態に係る収納ケースの分解斜視図
【図１６】第２の実施形態に係る収納ケースの斜視図
【図１７】変形例１に係る収納ケースの分解斜視図
【図１８】変形例２に係る収納ケースの分解斜視図
【図１９】変形例３に係る収納ケースの分解斜視図
【図２０】変形例４に係る収納ケースの分解斜視図
【図２１】変形例５に係る収納ケースの分解斜視図
【考案を実施するための形態】
【０００８】
（第１の実施形態）
以下、本考案の第１の実施形態に係る収納ケースについて説明する。図１は、本考案の第１の実施形態に係る収納ケース１の分解斜視図である。また、図２は、収納ケース１の斜視図である。
【０００９】
収納ケース１は、略直方体形状である。また、収納ケース１は、略長方形板状の天面板２および底面板３と、天面板２および底面板３に接続する第１〜第６の側面板４〜９とを備える。また、第１〜第３の側面板４〜６は、天面板２および底面板３の短辺側の端縁の一方を含む略矩形の第１の領域１０に設けられる。より特定的には、第１の側面板４は、天面板２および底面板３の長辺側の端縁の一方を接続するように設けられる。第２の側面板５は、天面板２および底面板３の短辺側の端縁の一方を接続するように設けられる。第３の側面板６は、第１の領域１０の、天面板２および底面板３の短辺側の端縁の一方に対向する端縁に接続するように設けられる。また、第４〜第６の側面板７〜９は、天面板２および底面板３の短辺側の端縁の他方を含む略矩形の第２の領域１１に設けられる。より特定的には、第４の側面板７および第５の側面板８は、天面板２および底面板３の長辺側の各端縁にそれぞれ接続するように設けられる。第６の側面板９は、第２の領域１１の、天面板２および底面板３の短辺側の端縁の他方に対向する端縁に接続するように設けられる。
【００１０】
座卓のやぐらと天板との間に収納ケース１を配置して用いることができる。また、コタツに使用する場合は、やぐらにかぶせた布団と天板との間に収納ケース１を配置して用いることができる。このように、収納ケース１を配置して用いることにより、天面板２と底面板３と第１〜第３の側面板４〜６とからなる第１の収納部２０と、天面板２と底面板３と第４〜第６の側面板７〜９とからなる第２の収納部２１と、天面板２と底面板３と第３の側面板６と第６の側面板９とからなる第３の収納部２２との内部に、ティッシュ箱や雑誌、爪切り、耳かきなどの日用品を整理して収納することができ、天板上が散らからないようにすることができる。また、座卓やコタツなどから離れなくても収納ケース１から収納したものを取り出しやすい。
【００１１】
収納ケース１の高さは、座卓やコタツの使い勝手および収納ケース１に収納予定物を考慮して適宜設定することができる。例えば、天板の高さが高くなりすぎないよう、収納ケース１の高さは外寸で６ｃｍ以下とすることが好ましい。また、ティッシュ箱を収納できるように、収納ケース１の高さは内寸で５ｃｍ以上とすることが好ましい。
【００１２】
第３の側面板６と、第６の側面板９との距離は、第３の収納部２２に収納予定物の大きさを考慮して適宜設定することができる。例えば、新聞、雑誌などを収納できるよう、第３の側面板６と、第６の側面板９との距離は、２２ｃｍ以上とすることが好ましい。
【００１３】
天面板２、底面板３、および、第１〜第６の側面板４〜９の材料としては、特に限定されるものではないが、ポリカーボネート、ポリプロピレンなどの耐熱性に優れた樹脂を好適に用いることができる。
【００１４】
また、第１の収納部２０および／または第２の収納部２１に、図３に示すような小物を収容することができる引き出しトレイ３０を収納してもよい。図４に、一例として、第１の収納部２０に引き出しトレイ３０を収納した図を示す。ここで、図３では、引き出しトレイ３０の形状を天面が開口している直方体形状としたが、引き出しトレイ３０の形状は、第１の収納部２０および／または第２の収納部２１に収納できれば限定されるものではない。収納ケース１に、引き出しトレイ３０を備えることにより、日用品などの収納や取り出しをより容易にすることができる。また、図５に示すように、引き出しトレイ３０の側面に把手３１を設けてもよい。把手３１は特に限定されるものではないが、引き出しトレイ３０に把手３１を設けることにより、把手３１をつまんで引き出しトレイ３０を引き出すことができ、引き出しトレイ３０を引き出しやすくすることができる。
【００１５】
また、引き出しトレイ３０の奥行きは１７ｃｍ以上とすることが好ましい。引き出しトレイ３０の奥行きを１７ｃｍ以上とすることにより、耳かきや文具などを好適に収納することができる。
【００１６】
また、引き出しトレイ３０の高さは第１の収納部２０および／または第２の収納部２１の内寸高さより１〜３ｃｍ低くすることが好ましい。図６に示すように、やぐらにかぶせた布団と天板との間に収納ケース１を配置して用いた際、収納ケース１および被収納物の重量により布団が沈み込み、収納ケース１の外縁付近においてコタツ布団が相対的に盛り上がり、天板と布団との距離が狭くなるが、引き出しトレイ３０の高さを第１の収納部２０および／または第２の収納部２１の内側における高さより１〜３ｃｍ低くすることにより、引き出しトレイ３０を盛り上がった布団を乗り越えて引き出しやすくすることができる。また、把手３１を設けない引き出しトレイ３０においては、引き出しトレイ３０の高さを第１の収納部２０および／または第２の収納部２１の内側における高さより２ｃｍ以上低くすることが好ましい。このことにより、引き出しトレイ３０の上端と、第１の収納部２０および／または第２の収納部２１の上面の内側との間に指を入れることができるようになり、引き出しトレイ３０を引き出しやすくすることができる。
【００１７】
また、収納ケース１は、図７に示すように、滑り止め部材１２を、天面板２の外面上に設けてもよい。滑り止め部材１２を天面板２の外面上に設けることにより、天面板２の外面上に天板を載置した際に、天板が滑るのを防止することができ、かつ、天板に傷がつくことを防止することができる。また、図７では滑り止め部材１２を天面板２の外面の短辺側の両端部に２箇所設けているが、天面板２の上面の短辺側の両端部と、中央部との３箇所に設けてもよく、天面板２の外面上の全体に設けてもよい。滑り止め部材１２を設ける箇所は特に限定されるものではなく、天板が滑るのを防止することができ、かつ、天板に傷がつくことを防止することができるように、天面板２の外面上の少なくとも１箇所に設けられていればよい。
【００１８】
また、収納ケース１は、図８に示すように、滑り止め部材１２を、天面板２と底面板３との外面上に設けてもよい。滑り止め部材１２を、天面板２の外面上に加え、底面板３の外面上にも設けることにより、底面板３をやぐら上に載置した際に、底面板３が滑るのとやぐらに傷がつくこととを防止することができ、かつ、収納ケース１の天面板２と底面板３とを上下反転させて用いることができる。また、図８では滑り止め部材１２を天面板２および底面板３の短辺側のそれぞれ両端部に４箇所設けているが、天面板２および底面板３の外面の短辺側のそれぞれ両端部と、中央部との６箇所に設けてもよく、天面板２および底面板３の外面上の全体に設けてもよい。滑り止め部材１２を設ける箇所は特に限定されるものではなく、収納ケース１の天面板２と底面板３とを上下反転させて使用した際においても、天板と天面板２または底面板３とが滑るのを防止することができ、かつ、天板とやぐらとに傷がつくことを防止することができるように、天面板２および底面板３の外面上の少なくとも１箇所に設けられていればよい。
【００１９】
なお、図７および図８では、滑り止め部材１２はシート状としているが、滑り止め部材１２の形状は特に限定されるものではない。図９に示すように、滑り止め部材１２は丸ボタン状であってもよい。また、図７〜図９では、収納ケース１と一体に滑り止め部材１２を設けているが、滑り止め部材１２は、収納ケース１と別体でもよく、滑り止め部材１２を天板の収納ケース１側となる面上およびやぐらの上面上に設けてもよい。
【００２０】
滑り止め部材１２の材料としては、特に限定されるものではないが、ポリウレタン、天然ゴム、スチレンブタジエンゴム、クロロプレンゴム、シリコーンゴムなどを用いることができる。特に、摩擦抵抗が大きく、耐熱性に優れたシリコーンゴムを好適に用いることができる。
【００２１】
本実施形態では、一例として、収納ケース１の内寸高さＨを５ｃｍ、収納ケース１の外寸高さｈと滑り止め部材１２の厚みを含めて６ｃｍ、収納ケース１の長辺方向の長さＷ１を５２ｃｍまたは６５ｃｍ、収納ケース１の短辺方向の長さＤを１５ｃｍ、第３の側面板６および第６の側面板９と収納ケース１の短辺側の各端部との距離Ｗ２、Ｗ３を共に１５ｃｍとした。ただし、これらの具体的な数値は、本考案の一例を示したものに過ぎず、本考案を何ら限定するものではない。座卓やコタツの大きさに合わせて、収納ケース１の大きさは、適宜設定することができる。また、被収納物の大きさを考慮して、第１〜第３の収納部２０〜２２の開口部からの奥行き、開口部の大きさも、適宜設定することができる。
【００２２】
次に、収納ケース１の配置について説明する。図１０は、収納ケース１の使用状態の一例を示す斜視図であり、図１１は、図１０において、天板５１を取り外して上から見た図である。
【００２３】
収納ケース１は、やぐら５０上の対向する２辺に沿って２個配置され、これら２個の収納ケース１の天面板２の外面上に天板５１が載置されている。また、第１の収納部２０と第２の収納部２１の開口部が、やぐら５０の外側を向くように、収納ケース１は配置されている。第１の収納部２０と第２の収納部２１の開口部とは、天面板２の長辺側と短辺側とにそれぞれ設けられているため、収納ケース１を図１０および図１１に示す配置にすることにより、やぐら５０の各辺に沿って座る人それぞれが、第１の収納部２０あるいは第２の収納部２１の少なくとも１つを好適に使用することができる。また、収納ケース１の天面板２と底面板とを上下反転させて用いることができる場合、第１の収納部２０または第２の収納部２１の位置を左側または右側に適宜設定することができ、やぐら５０の各辺に沿って座る人にとって好適に使用することができる。
【００２４】
また、収納ケース１は図１０および図１１に示す配置や個数に限定されるものではなく、収納ケース１の配置や個数は、天板５１を安定して載置できればよく、天板５１の大きさや形状によって適宜変更することができる。しかしながら、天板５１を安定して載置するために収納ケース１を２個以上配置して用いることが好ましい。また、図１０および図１１では、やぐら５０および天板５１の上面が略正方形の場合を示したが、やぐら５０および天板５１の上面が略長方形の場合、収納ケース１の配置の他の一例として、図１２に示すような配置としてもよい。
【００２５】
なお、本実施形態において、第１〜第６の側面板４〜９を設けた収納ケース１について説明したが、これに限定されるものではなく、収納ケース１は側面板の配置を適宜変更した形状であってもよい。側面板の配置を適宜変更することにより、各収納部の開口部の向きを適宜変更することができる。例えば、収納ケース１は、図１３に示すように、第５の側面板８を設ける代わりに、第２の領域１１の、天面板２および底面板３の短辺側の端縁に接続するように第７の側面板１３を設けてもよい。このように第７の側面板１３を設けることにより、収納ケース１の第２の収納部２１の開口部を、天面板２および底面板３の長辺側の第１の収納部２０の開口部が設けられている端縁に設けることができる。
【００２６】
また、収納ケース１は、図１４に示すように、第２の側面板５を設ける代わりに、第１の領域１０の第１の側面板４と対向する天面板２および底面板３の長辺側の端縁に接続するように第８の側面板１４を設けてもよい。このように第８の側面板１４を設けることにより、収納ケース１の第１の収納部２０の開口部を、天面板２および底面板３の短辺側の第２の収納部が設けられた側とは反対側の端縁に設けることができる。
【００２７】
（第２の実施形態）
本考案の第２の実施形態に係る収納ケースについて説明する。第１の実施形態の収納ケース１の構成要素と同一または対応する構成要素に、同一の参照符号を付す。図１５は、本考案の第２の実施形態に係る収納ケース６１の分解斜視図である。また、図１６は、収納ケース６１の斜視図である。収納ケース６１は、第１の実施形態に係る収納ケース１において、第４〜第６の側面板７〜９を設ける代わりに、第９の側面板１５が設けられている。このことにより、収納ケース６１は、第１の実施形態に係る収納ケース１において、第２の収納部２１と第３の収納部２２とを設ける代わりに、天面板２と底面板３と第３の側面板６と第９の側面板１５とからなる第２の収納部２３が設けられている。
【００２８】
第９の側面板１５は、天面板２および底面板３の短辺側の端縁の第２の側面板５が設けられている側とは反対側に接続するように設けられる。
【００２９】
第１の実施形態と同様に、座卓のやぐらと天板との間あるいはやぐらにかぶせた布団と天板との間に、収納ケース６１を配置して用いることができる。このように、収納ケース６１を配置して用いることにより、第１の収納部２０と、第２の収納部２３との内部に、ティッシュ箱や雑誌、爪切り、耳かきなどの日用品を整理して収納することができ、天板上が散らからないようにすることができる。また、座卓やコタツなどから離れなくても収納ケース６１から収納したものを取り出しやすい。
【００３０】
収納ケース６１の高さは、第１の実施形態と同様に適宜設定することができる。
【００３１】
また、第３の側面板６と、第９の側面板１５との距離についても、第１の実施形態と同様に適宜設定することができる。
【００３２】
また、収納ケース６１は、第１の実施形態と同様に、第１の収納部２０に引き出しトレイ３０を収納していてもよい。
【００３３】
また、収納ケース６１は、第１の実施形態と同様に、天面板２および／または底面板３の外面上の少なくとも１箇所に滑り止め部材１２を設けてもよい。
【００３４】
以上のように、本考案に係る収納ケースの例示として、第１および第２の実施形態を説明した。しかしながら、本考案は、これらに限定されず、収納ケースは側面板の枚数および配置を適宜変更して、他の実施の形態とすることも可能である。そこで、以下に、他の実施形態として変形例を例示する。
【００３５】
（変形例１）
図１７は、変形例１に係る収納ケース７１の分解斜視図である。図１７に示すような側面板の配置にすることにより、収納ケース７１は、天面板２および底面板３の長辺側の端縁の一方に１つの開口部を有する収納部を備えることができる。
【００３６】
（変形例２）
図１８は、変形例２に係る収納ケース８１の分解斜視図である。図１８に示すような側面板の配置にすることにより、収納ケース８１は、天面板２および底面板３の長辺側の両側面にそれぞれ開口部を有する収納部を備えることができる。また、収納ケース８１においては、天面板２を２つの側面板で支えているため、各々の側面板の厚みを大きくするなど強度を上げることが好ましい。
【００３７】
（変形例３）
図１９は、変形例３に係る収納ケース９１の分解斜視図である。図１９に示すような側面板の配置にすることにより、収納ケース９１は、天面板２および底面板３の長辺側の両端縁にそれぞれ開口部を有する収納部と、天面板２および底面板３の短辺側の端縁の一方に開口部を有する収納部とを備えることができる。
【００３８】
（変形例４）
図２０は、変形例４に係る収納ケース１０１の分解斜視図である。図２０に示すような側面板の配置にすることにより、収納ケース１０１は、天面板２および底面板３の長辺側の両端縁にそれぞれ開口部を有する２つの収納部を２つ備えることができる。
【００３９】
（変形例５）
図２１は、変形例５に係る収納ケース１１１の分解斜視図である。図２１に示すような側面板の配置にすることにより、収納ケース１１１は、天面板２および底面板３の長辺側の端縁の一方にそれぞれ開口部を有する収納部を２つ備えることができる。
【００４０】
なお、以上の各変形例において、雑誌、新聞などを収納できるよう、収納部の開口部からの奥行きの内寸、または、すくなくとも１つの収納部の開口部の長辺方向の内寸は２２ｃｍ以上とすることが好ましい。
【産業上の利用可能性】
【００４１】
本考案は、やぐらの上に天板を載置して用いるコタツや座卓などに用いる収納ケースとして有用である。
【符号の説明】
【００４２】
１、６１、７１、８１、９１、１０１、１１１    収納ケース
２    天面板
３    底面板
４    第１の側面板
５    第２の側面板
６    第３の側面板
７    第４の側面板
８    第５の側面板
９    第６の側面板
１０    第１の領域
１１    第２の領域
１２    滑り止め部材
１３    第７の側面板
１４    第８の側面板
１５    第９の側面板
２０    第１の収納部
２１、２３    第２の収納部
２２    第３の収納部
３０    引き出しトレイ
３１    把手
５０    やぐら
５１    天板
【図１】
0003185272.tif 000003
【図２】
0003185272.tif 000004
【図３】
0003185272.tif 000005
【図４】
0003185272.tif 000006
【図５】
0003185272.tif 000007
【図６】
0003185272.tif 000008
【図７】
0003185272.tif 000009
【図８】
0003185272.tif 000010
【図９】
0003185272.tif 000011
【図１０】
0003185272.tif 000012
【図１１】
0003185272.tif 000013
【図１２】
0003185272.tif 000014
【図１３】
0003185272.tif 000015
【図１４】
0003185272.tif 000016
【図１５】
0003185272.tif 000017
【図１６】
0003185272.tif 000018
【図１７】
0003185272.tif 000019
【図１８】
0003185272.tif 000020
【図１９】
0003185272.tif 000021
【図２０】
0003185272.tif 000022
【図２１】
0003185272.tif 000023